(57)【要約】【課題】複数のファンを設けることなく、通気抵抗が大きい個所の空気の通気性を高めることができ、通気抵抗が大きい個所での放熱性を高めることができる表示装置を提供する。【解決手段】前側に表示面１１ａを有する表示部１と、吸気口２３及び該吸気口２３の上側に排気口２４を有し、表示部１の後側を被覆するキャビネット２と、該キャビネット２内に配される基板１５とを備え、キャビネット２内で吸気口２３の前側にファン３を配し、該ファン３の空気吹出方向前方の位置に、ファン３が吹出す空気を前記空気吹出方向と交差する方向で、且つ基板１５及び表示部１間の通気路へ導く導風体４を設けた。【選択図】図１
2008197136.tif 000002
【特許請求の範囲】
【請求項１】
前側に表示面を有する表示部と、吸気口及び排気口を有し、前記表示部の後側を被覆するキャビネットと、該キャビネット内に配されたファンとを備える表示装置において、前記ファンは前記排気口よりも前記吸気口側に配してあり、該ファンの空気吹出方向前方の位置に、前記ファンが吹出す空気を前記空気吹出方向と交差する方向へ導く導風体を設けてあることを特徴とする表示装置。
【請求項２】
実装部品が実装されている基板を前記キャビネット内に備え、該基板より上側に前記排気口を、下側に前記吸気口を夫々配してあり、前記ファンは、回転中心が前後となるように前記吸気口の前側に配してある請求項１記載の表示装置。
【請求項３】
前記導風体は前記ファンの回転中心に対して偏倚する偏倚点を頂部として前記表示部に対する距離が漸次短くなる略錐形をなしている請求項１又は２記載の表示装置。
【請求項４】
前記表示部は、前記表示面を有するパネルと、該パネルの後側に配される複数のランプと、各ランプを収容支持するシャーシとを備え、前記導風体は前記シャーシと一体に成形してある請求項１乃至３のいずれか一つに記載の表示装置。
【請求項５】
前記基板は前記表示部に対し後方へ離隔しており、該基板及び表示部の間に配され、前記導風体により導風された空気を前記基板の実装面と交差する方向で、且つ前記実装部品側へ導風する補助導風体を備える請求項２乃至４のいずれか一つに記載の表示装置。
【請求項６】
前記補助導風体は前記シャーシと一体に成形してある請求項５記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
図５は従来の表示装置の構成を示す縦断側面図である。薄型テレビ等の表示装置は、画像を表示する表示面を前側に有する表示部１００と、下側に吸気口１０１及び上側に排気口１０２を夫々有し、前記表示部１００の後側を被覆するキャビネット１０３と、該キャビネット１０３内の上側で、且つ前記排気口１０２の前側に配されたファン１０４とを備え、該ファン１０４の駆動により下側の吸気口１０１からキャビネット１０３内へ吸気した空気を上側の排気口１０２から外部へ排出し、キャビネット１０３内の温度上昇を抑制するように構成されている。また、このように構成された表示装置は、例えば、特許文献１に記載されている。
【０００３】
また、薄型テレビ等の表示装置は、複数の実装部品が実装されている基板が前記表示部の後側に配されており、該基板における実装部品の間に複数の第１のファンを設け、基板の上部に複数の第２のファンを設けることにより、実装部品が発生した熱を実装部品の周りから基板の周辺へ第１のファンが放熱し、さらに第２のファンがキャビネットの排気口から外部へ排気するように構成されたものも知られている（例えば、特許文献２参照）。
【特許文献１】特開２００６−５８６７９号公報
【特許文献２】特開２０００−１９９７４号公報
【発明の開示】
【発明が解決しようとする課題】
【０００４】
ところで、比較的小型の表示装置にあっては、特許文献１に記載されているように上部の排気口内側にファンを配置し、下側の吸気口から吸気した空気を上側の排気口からファンが外部へ排気する放熱構造とすることにより、キャビネット内の温度上昇を抑制することができる。
【０００５】
しかし、薄型液晶テレビ、薄型プラズマテレビは年々大形化されており、これに伴い、表示部の後面に装着される回路基板等の基板が大型となり、該基板に実装される実装部品の個数も増加し、キャビネット内の通風抵抗が大きくなるし、また、実装部品が発生する熱量も多くなる。このため、キャビネット内の温度上昇を抑制する手段として、特許文献１に記載されているように排気口の前側に配されるファンが排気口から外部へ排気する放熱構造を採用した場合、ファンの駆動により下側の吸気口からキャビネット内に吸気された空気は通気抵抗の小さい基板周辺部を通気し、基板部分の高温空気は殆ど通気しなくなり、この高温空気を排気口から外部へ排気することが困難になる。この高温空気を効率的に排出するにはファンの回転数を高くすればよいが、この場合、騒音が許容限度を超えることになり好ましくない。
【０００６】
また、キャビネット内の温度上昇を抑制する手段として、特許文献２に記載されているように複数の第１及び第２のファンを備える放熱構造を採用した場合、ファンの個数が増加し、構造が煩雑になるとともに、騒音が許容限度を超えることになり好ましくない。
【０００７】
本発明は斯かる事情に鑑みてなされたものであり、主たる目的は排気口よりも吸気口側にファンを配し、該ファンの空気吹出方向前方の位置に、ファンが吹出す空気を前記空気吹出方向と交差する方向へ導く導風体を設けることにより、複数のファンを設けることなく、通気抵抗が大きい個所の空気の通気性を高めることができ、効率的放熱と低騒音とを実現することができる表示装置を提供することにある。
【０００８】
また、他の目的はキャビネット内に配される基板より上側に排気口を、下側に吸気口を夫々配し、ファンを、回転中心が前後となるように吸気口の前側に配することにより、ファンによる吸気口への吸気性を高めることができるとともに、吸気口から吸気した空気をキャビネット内の適宜の個所へ効率的に導風することができる表示装置を提供することにある。
【０００９】
また、他の目的は導風体を、ファンの回転中心に対して偏倚する偏倚点を頂部として表示部に対する距離が漸次短くなる略錐形をなす構成とすることにより、ファンが吹出す空気を導風体の錐形面に沿って円滑に導風することができるとともに、導風体の錐形面に沿って四方へ分散し、分散量を配分して導風することができる表示装置を提供することにある。
【００１０】
また、他の目的は導風体を表示部のシャーシと一体に成形してある構成とすることにより、導風体をキャビネット内の適正個所に容易に、且つ正確に配することができる表示装置を提供することにある。
【００１１】
また、他の目的は基板及び表示部の間に、導風体により導風された空気を前記基板の実装面と交差する方向で、且つ実装部品側へ導風する補助導風体を設けることにより、発熱量が多い実装部品の周りの通気性をより一層高めることができ、該実装部品の放熱性をより一層高めることができる表示装置を提供することにある。
【００１２】
また、他の目的は補助導風体を表示部のシャーシと一体に成形してある構成とすることにより、補助導風体をキャビネット内の適正個所に容易に、且つ正確に配することができる表示装置を提供することにある。
【課題を解決するための手段】
【００１３】
本発明に係る表示装置は、前側に表示面を有する表示部と、吸気口及び排気口を有し、前記表示部の後側を被覆するキャビネットと、該キャビネット内に配されたファンとを備える表示装置において、前記ファンは前記排気口よりも前記吸気口側に配してあり、該ファンの空気吹出方向前方の位置に、前記ファンが吹出す空気を前記空気吹出方向と交差する方向へ導く導風体を設けてあることを特徴とする。
【００１４】
この発明にあっては、吸気口からキャビネット内にファンが吸気した空気を、排気口よりも吸気口側に配されたファンが排気口側へ吹出すため、複数のファンを設けることなくキャビネットの通気性を高めることができ、しかも、ファンが吹出す空気をキャビネット内の適宜の個所へ効率的に導風することができるため、通気抵抗が大きい個所の空気の通気性を高めることができ、効率的放熱と低騒音とを実現することができる。
【００１５】
また、本発明に係る表示装置は、実装部品が実装されている基板を前記キャビネット内に備え、該基板より上側に前記排気口を、下側に前記吸気口を夫々配してあり、前記ファンは、回転中心が前後となるように前記吸気口の前側に配してあることを特徴とする。
【００１６】
この発明にあっては、ファンによる吸気口への吸気性を高めることができ、しかも、吸気口から吸気した空気をキャビネット内の適宜の個所へ効率的に導風することができる。
【００１７】
また、本発明に係る表示装置は、前記導風体は前記ファンの回転中心に対して偏倚する偏倚点を頂部として前記表示部に対する距離が漸次短くなる略錐形をなしていることを特徴とする。
【００１８】
この発明にあっては、ファンが吹出す空気を導風体の錐形面に沿って円滑に導風することができ、しかも、導風体の錐形面に沿って四方へ分散し、分散量を配分して導風することが可能であり、キャビネットの放熱性をより一層高めることができる。
【００１９】
また、本発明に係る表示装置は、前記表示部は前記表示面を有するパネルと、該パネルの後側に配される複数のランプと、各ランプを収容支持するシャーシとを備え、前記導風体は前記シャーシと一体に成形してあることを特徴とする。
【００２０】
この発明にあっては、導風体をキャビネット内の適正個所に容易に、且つ正確に配することができ、導風体を備える割りにコストを低減できる。
【００２１】
また、本発明に係る表示装置は、前記基板は前記表示部に対し後方へ離隔しており、該基板及び表示部の間に配され、前記導風体により導風された空気を前記基板の実装面と交差する方向で、且つ前記実装部品側へ導風する補助導風体を備えることを特徴とする。
【００２２】
この発明にあっては、導風体により導風された空気を補助導風体が実装部品側へ余計に導風するため、発熱量が多い実装部品の周りの通気性をより一層高めることができ、該実装部品の放熱性をより一層高めることができる。
【００２３】
また、本発明に係る表示装置は、前記補助導風体は前記シャーシと一体に成形してあることを特徴とする。
【００２４】
この発明にあっては、補助導風体をキャビネット内の適正個所に容易に、且つ正確に配することができ、補助導風体を備える割りにコストを低減できる。
【発明の効果】
【００２５】
以上詳述したように本発明によれば、複数のファンを設けることなくキャビネットの通気性を導風体により高めることができ、しかも、通気抵抗が大きい個所の空気の通気性を高めることができ、効率的放熱と低騒音とを実現することができる。
【００２６】
また、本発明によれば、ファンによる吸気口への吸気性を高めることができ、しかも、吸気口から吸気した空気をキャビネットの適宜の個所へ効率的に導風することができる。
【００２７】
また、本発明によれば、ファンが吹出す空気を導風体の錐形面に沿って円滑に導風することができ、しかも、導風体の錐形面に沿って四方へ分散し、分散量を配分して導風することが可能であり、キャビネットの放熱性をより一層高めることができる。
【００２８】
また、本発明によれば、導風体をキャビネット内の適正個所に容易に、且つ正確に配することができ、導風体を備える割りにコストを低減できる。
【００２９】
また、本発明によれば、発熱量が多い実装部品の周りの通気性をより一層高めることができ、該実装部品の放熱性をより一層高めることができる。
【００３０】
また、本発明によれば、補助導風体をキャビネット内の適正個所に容易に、且つ正確に配することができ、補助導風体を備える割りにコストを低減できる。
【発明を実施するための最良の形態】
【００３１】
以下本発明をその実施の形態を示す図面に基づいて詳述する。図１は本発明に係る表示装置の構成を示す縦断側面図、図２は表示装置の構成を示す模式的背面図、図３は基板の一部を拡大した断面図である。
【００３２】
図示した表示装置はテレビ画像を表示する表示面１１ａを前側に有し、略直方体をなす表示部１と、該表示部１の周縁部及び後側を被覆するキャビネット２とを備える薄型液晶テレビ、換言すれば薄型表示装置である。
【００３３】
表示部１は、前側に表示面１１ａを有し略直方体をなすパネル１１と、該パネル１１の後側に配された拡散板等の光学シート１２と、該光学シート１２の後側に配置され複数のランプ１３を有するバックライト部１４と、該バックライト部１４の後側に配置され、複数の実装部品１５ａ，１５ｂが実装されている回路基板及び電源基板等の基板１５とを備える。
【００３４】
バックライト部１４は、前側が開放された箱形をなす金属板製のシャーシ１４ａと、該シャーシ１４ａ内に上下に離隔して収容支持されている複数のランプ１３とを有し、シャーシ１４ａの後面の上側に、該後面と後方へ離隔する基板１５が複数の支柱により取付けられ、基板１５とシャーシ１４ａとの間、及びシャーシ１４ａとキャビネット２との間が通気路になっている。
【００３５】
基板１５は、実装面を貫通する複数のピン孔１５ｃに実装部品１５ａ，１５ｂのピン１５ｄが嵌入され、該ピン１５ｄが基板１５の実装面と反対側面で半田付けされており、実装部品がシャーシ１４ａの後面と対向するように配されている。
【００３６】
キャビネット２は、表示部１の周縁部を被覆する枠部２１と、深皿形をなし、表示部１の後側を被覆する蓋板部２２とを有しており、枠部２１及び蓋板部２２がシャーシ１４ａに複数のビスにより取付けられている。蓋板部２２の中央部で、基板１５の下側、詳しくは基板１５の下端に対応する位置に、外部の空気をキャビネット２内に吸気する吸気口２３を設け、蓋板部２２の上部で、基板１５の上側、詳しくは基板１５の上端に対応する位置に、キャビネット２内の空気を外部へ排気する排気口２４を設けてある。蓋板部２２の吸気口２３の前側には、吸気口２３に対応する大きさのファン３を配してある。
【００３７】
ファン３は、その回転中心が前後方向となるように配される羽根車３１と、該羽根車３１を駆動するモータと、該モータを支持し、羽根車３１の周りを覆うケーシング３２とを備え、該ケーシング３２が基板１５に取付けられており、ファン３が吸気口２３から吸気した空気を前方のシャーシ１４ａに向けて吹出すように構成されている。
【００３８】
シャーシ１４ａのファン３と対応する位置、具体的にはファン３の空気吹出方向前方の位置に、ファン３が吹出す空気を前記空気吹出方向と交差する方向で、且つ基板１５及びシャーシ１４ａ間の通気路へ導く導風体４を設けてあり、また、基板１５の一部の実装部品と対応する位置、具体的には発熱量が多い実装部品１５ａと対応する位置に、導風体４により導風された基板１５及びシャーシ１４ａ間の空気を実装部品１５ａへ導風する補助導風体５を設けてある。導風体４及び補助導風体５はシャーシ１４ａが成形される際、一体に成形されている。
【００３９】
導風体４は図２に示すようにファン３の回転中心に対して下方へ偏倚する偏倚点を頂部としてシャーシ１４ａに対する距離が漸次短くなる略円錐形をなし、ファン３が吹出した空気を円錐面に沿って四方へ分散し、且つ分散量を、基板１５側が非基板側よりも多くなるように配分して導風するように構成されている。
【００４０】
補助導風体５はシャーシ１４ａに対して後方へ離隔する位置を横線状の頂部としてシャーシ１４ａに対する距離が導風体４側で漸次短くなる略し字形をなし、基板１５とシャーシ１４ａとの間の通気路を狭め、導風体４により基板１５及びシャーシ１４ａ間の通気路へ導風された空気を実装部品１５ａへ導風するように構成されている。
【００４１】
以上のように構成された表示装置は、キャビネット２の中央部に吸気口２３を、上部に排気口２４を夫々設けてあり、回転中心が前後方向となる軸流形のファン３が吸気口２３の前側に配され、該ファン３と排気口２４との間の通気路に基板１５が配されており、また、ファン３の空気吹出方向前方に導風体４を設けてあり、実装部品１５ａと対応する位置に補助導風体５を設けてある。
【００４２】
ファン３が駆動されることにより、吸気口２３からキャビネット２内へ外気を吸気することができ、この吸気された空気を、ファン３の吹出方向前方の導風体４に吹付け、該導風体４の円錐面に沿って四方へ分散させることができるとともに、基板１５及びシャーシ１４ａ間のキャビネットへの分散量を多くすることができ、基板１５の実装部品周りの通気性を高めることができる。また、導風体４により基板１５及びシャーシ１４ａ間の通気路へ導風された空気を補助導風体５に沿って基板１５の発熱量が多い実装部品１５ａ側へ導風することができ、発熱量が多い実装部品１５ａを効率よく放熱することができ、この後、キャビネット内の空気を排気口２４から外部へ排気することができる。
【００４３】
このようにファン３が吸気した空気を、該ファン３が導風体４に吹付け、該導風体４が基板１５及びシャーシ１４ａ間の通気路へ導風し、さらに、補助導風体５が一部の実装部品へ余計に導風するため、基板１５が比較的大型で、実装部品数が比較的多いことにより通気抵抗が大きくなる場合であっても、この通気抵抗が大きい個所の空気の通気性を高めることができるとともに、発熱量が多い実装部品１５ａの放熱性を高めることができる。また、導風体４は図２に示すように非基板側へも配分して導風するため、キャビネット２内全域の通気性を高めることができる。
【００４４】
図４は本発明に係る表示装置の他の構成を示す模式的背面図である。この表示装置は、ファン３の空気吹出方向前方に配する導風体４を、ファン３の回転中心を頂部としてシャーシ１４ａに対する距離が漸次短くなる略円錐形に構成し、ファン３が吹出した空気を円錐面に沿って四方へ分散して導風するようにしてある。
その他の構成及び作用は図１〜３に示す実施の形態と同様であるため、同様の部品については同じ符号を付し、その詳細な説明及び作用効果の説明を省略する。
【００４５】
尚、以上説明した実施の形態では、基板１５の下端近傍に配される吸気口２３の前側にファン３を配したが、その他、基板１５と下方へ離隔した位置、例えばキャビネット２の下部に吸気口２３が配される構成にあっては、基板１５と吸気口２３との間に、回転中心が前後となるようにファン３を配してもよい。
【００４６】
また、以上説明した実施の形態では、導風体４及び補助導風体５をシャーシ１４ａと一体に成形してなる構成としたが、その他、導風体４及び補助導風体５はシャーシ１４ａと別個に形成され、シャーシ１４ａに貼付け、ビス止め等の取付手段により取付ける構成としてもよい。この場合、導風体４及び補助導風体５は例えば成形板、樹脂シートにより形成される。
また、導風体４を略円錐形としたが、その他、導風体４は略角錐形等の略錐形としてもよく、その形状は特に制限されない。
【００４７】
また、以上説明した実施の形態では、キャビネット２の中央部に吸気口２３を設けたが、その他、吸気口２３はキャビネット２の下部又は側部に設けてもよい。
【００４８】
また、以上説明した実施の形態では基板１５にファン３を設けたが、その他、ファン３は表示部１、詳しくはシャーシ１４ａ又はキャビネット２に設けてもよい。
【００４９】
また、本発明に係る表示装置は液晶テレビ等の液晶表示装置である他、プラズマ表示装置、ＳＥＤディスプレイ、ＥＬディスプレイ等の表示装置であってもよい。
【図面の簡単な説明】
【００５０】
【図１】本発明に係る表示装置の構成を示す縦断側面図である。
【図２】本発明に係る表示装置の構成を示す模式的背面図である。
【図３】本発明に係る表示装置の基板の一部を拡大した断面図である。
【図４】本発明に係る表示装置の他の構成を示す模式的背面図である。
【図５】従来の表示装置の構成を示す縦断側面図である。
【符号の説明】
【００５１】
１    表示部
１１  パネル
１１ａ  表示面
１３  ランプ
１４ａ  シャーシ
１５  基板
１５ａ  実装部品
２    キャビネット
２３  吸気口
２４  排気口
３    ファン
４    導風体
５    補助導風体
【図１】
2008197136.tif 000003
【図２】
2008197136.tif 000004
【図３】
2008197136.tif 000005
【図４】
2008197136.tif 000006
【図５】
2008197136.tif 000007